(57)【要約】【課題】  収納棚への取り付けが容易で収納物の出し入れの際に落下防止装置の操作が不要な簡便な落下防止装置を提供する。【解決手段】  収納棚に収められた収納物の落下を防止する落下防止装置であって、前記収納棚の開口部に略水平に張られるベルトと、該ベルトを保持する第１保持具と第２保持具とを具備し、前記第１保持具又は前記第２保持具がその筐体の中に前記ベルトを巻き取るドラムを備え、前記筐体に固定されたラチェット歯車と前記ドラムに固定されたラチェット歯止めからなる逆転防止機構を有し、該ラチェット歯止めの前記ラチェット歯車への係合の有無が前記ベルトの引き出し速度で定まる。【選択図】図１
2020195757.tif 000002
【特許請求の範囲】
【請求項１】
収納棚に収められた収納物の落下を防止する落下防止装置であって、
前記収納棚の開口部に略水平に張られるベルトと、該ベルトを保持する第１保持具と第２保持具とを具備し、
前記第１保持具又は前記第２保持具がその筐体の中に前記ベルトを巻き取るドラムを備え、
前記筐体に固定されたラチェット歯車と前記ドラムに固定されたラチェット歯止めからなる逆転防止機構を有し、
該ラチェット歯止めの前記ラチェット歯車への係合の有無が前記ベルトの引き出し速度で定まることを特徴とする落下防止装置。
【請求項２】
前記ラチェット歯車から離れる方向に付勢されている前記ラチェット歯止めが、前記ドラムの回転に伴う遠心力で、前記ラチェット歯車に係止することを特徴とする請求項１に記載の落下防止装置。
【請求項３】
前記ドラムと前記筐体との間にバネが取り付けられ、該バネが前記ベルトの引き出しに伴い前記ベルトを前記ベルトの巻取方向へ付勢されることを特徴とする請求項１又は２に記載の落下防止装置。
【請求項４】
前記第１保持具又は前記第２保持具が前記収納棚に取り付けられた状態で、垂直面内を回動自由に保持されることを特徴とする請求項１乃至３の何れかに記載の落下防止装置。
【請求項５】
前記収納棚の前記筐体に付着された取付具に前記収納棚の前面に突き出す突起が設けられ、該突起の先端部分の直径が該先端部分を支える支柱部分の直径よりも大きく、
前記第１保持具又は前記第２保持具に該突起に係止される取付穴が設けられ、該取付穴が大穴と小穴からなるひょうたん型に形成され、該大穴の直径が前記突起の前記先端部分の直径よりも大きく、該小穴の直径が前記突起の支柱部分の直径よりも大きく且つ前記突起の前記先端部分の直径よりも小さく構成されていることを特徴とする請求項４に記載の落下防止装置。
【請求項６】
前記大穴の外周に沿った切り込みにより前記小穴に向けて先端を有するバネ部分が設けられ、該先端の形状が前記小穴の円周に沿って形成され、前記支柱部分が前記大穴と前記小穴の間を移動する際に前記バネ部分を押し広げるように構成される請求項５に落下防止装置。
【請求項７】
前記筐体の前記ベルトが出入りする開口部の前記ベルトの厚み方向の大きさが、前記ベルトの厚みの２倍未満であることを特徴とする請求項１乃至６何れかに記載の落下防止装置。
【請求項８】
前記筐体の前記ベルトが出入りする開口部が設けられる面に対して直角な面に磁性体が設けられることを特徴とする請求項１乃至７何れかに記載の落下防止装置。
【請求項９】
前記収納棚の間に張られる前記ベルトに前記ベルトが折り曲がり難くするように補強する補強部材が設けられることを特徴とする請求項１乃至８何れかに記載の落下防止装置。
【請求項１０】
前記補強部材の表面が筆記可能に形成されることを特徴とする請求項９に記載の落下防止装置。
【請求項１１】
前記ベルトと前記収納棚の棚板の間に落下防止部材が設けられ、該落下防止部材が、折りたたみ可能であり、該落下防止部材を通して前記棚板の上に載置された収納物が判別可能な態様であることを特徴とする請求項１乃至１０の何れかに記載の落下防止装置。
【請求項１２】
前記落下防止部材が網又は透明シートであることを特徴とする請求項１１に記載の落下防止装置。
【発明の詳細な説明】
【技術分野】
【０００１】
本発明は、地震等により各種什器や本棚、または工場等の倉庫に設置された収納棚が振動しても、これらの収納棚の棚板に載置された物品の落下や飛び出しを防止する落下防止装置に関する。
【背景技術】
【０００２】
従来、地震や意図しない何らかの物品の衝突等における振動、揺れ及び傾きで収納棚の棚板に載置された物品の落下や飛び出しを防止する装置が種々提案されている。
【０００３】
たとえば、特許文献１に開示される落下防止装置は、棚からの物品の落下を防止するストッパー用棒とこのストッパー用棒の両端を嵌合して支持する支持部から成り、この支持部はストッパー用棒の先端部が嵌合して移動出来る移動回路を備えている。
【０００４】
また、特許文献２に開示される落下防止装置は、収納物が置かれる棚の上に落下防止シートを貼って摩擦力で収納物の移動を困難にして収納物の落下を防止するするものである。
【先行技術文献】
【特許文献】
【０００５】
【特許文献１】特開２００５−０５２６０３号公報
【特許文献２】特開２００３−０７９４６１号公報
【発明の概要】
【発明が解決しようとする課題】
【０００６】
しかしながら、特許文献１に開示される落下防止装置は、その構造が複雑で価格が高いという問題があり、より簡便な落下防止装置が望まれている。また、特許文献２に開示される発明は強い振動が加わると摩擦力だけでは収納物の落下を防止できないという問題がある。
【０００７】
この発明の目的は、上述した事情に鑑みなされたもので、収納棚への取り付けが容易で収納物の出し入れの際に落下防止装置の操作が不要な簡便な落下防止装置を提供することである。
【課題を解決するための手段】
【０００８】
請求項１に記載の落下防止装置は、収納棚に収められた収納物の落下を防止する落下防止装置であって、前記収納棚の開口部に略水平に張られるベルトと、該ベルトを保持する第１保持具と第２保持具とを具備し、前記第１保持具又は前記第２保持具がその筐体の中に前記ベルトを巻き取るドラムを備え、前記筐体に固定されたラチェット歯車と前記ドラムに固定されたラチェット歯止めからなる逆転防止機構を有し、該ラチェット歯止めの前記ラチェット歯車への係合の有無が前記ベルトの引き出し速度で定まることを特徴とする落下防止装置である。
【０００９】
本発明の落下防止装置は、収納棚の開口部に水平方向へ張られるベルトと、該ベルトを保持する第１保持具と第２保持具とを具備し、前記第１保持具又は前記第２保持具がその筐体の中に前記ベルトを巻き取るドラムを備え、前記筐体に固定されたラチェット歯車と前記ドラムに固定されたラチェット歯止めからなる逆転防止機構を有し、該ラチェット歯止めの前記ラチェット歯車への係合の有無が前記ベルトの引き出し速度で定まるので、ベルトをゆっくり押下げることで収納棚に置かれた物品の出し入れが容易にできる。
【００１０】
請求項２に記載の落下防止装置は、前記ラチェット歯車から離れる方向に付勢されている前記ラチェット歯止めが、前記ドラムの回転に伴う遠心力で、前記ラチェット歯車に係止することを特徴とする請求項１に記載の落下防止装置である。
【００１１】
本発明の落下防止装置は、ラチェット歯車から離れる方向に付勢されている前記ラェット歯止めが、前記ドラムの回転に伴う遠心力で、前記ラチェット歯車に係止するのでベルトが急速に引き出されるとベルトの引き出しがロックされる。
【００１２】
請求項３に記載の落下防止装置は、前記ドラムと前記筐体との間にバネが取り付けられ、該バネが前記ベルトの引き出しに伴い前記ベルトを前記ベルトの巻取方向へ付勢することを特徴とする請求項１又は２に記載の落下防止装置である。
【００１３】
前記ドラムと前記筐体との間にバネが取り付けられ、該バネが前記ベルトの引出しに伴い前記ベルトを前記ベルトの巻取方向へ付勢するので、ベルトを引き出して収納棚へ落下防止装置を設置すると、ベルトはバネの弾性力により張られた状態になる。
【００１４】
請求項４に記載の落下防止装置は、前記第１保持具又は前記第２保持具が前記収納棚に取り付けられた状態で、垂直面内で回動自由に保持されることを特徴とする請求項１乃至３の何れかに記載の落下防止装置である。
【００１５】
本発明の落下防止装置は、第１保持具又は第２保持具が前記収納棚に取り付けられた状態で、垂直面内で回動自由に保持されるのでベルト保持具のベルト出入り口がベルトの方向へ向きベルトの形状が保たれる。
【００１６】
請求項５に記載の落下防止装置は、前記収納棚の前記筐体に付着された取付具に前記収納棚の前面に突き出す突起が設けられ、該突起の先端部分の直径が該先端部分を支える支柱部分の直径よりも大きく、前記第１保持具又は前記第２保持具に該突起に係止される取付穴が設けられ、該取付穴が大穴と小穴からなるひょうたん型に形成され、該大穴の直径が前記突起の前記先端部分の直径よりも大きく、該小穴の直径が前記突起の支柱部分の直径よりも大きく且つ前記突起の前記先端部分の直径よりも小さく構成されていることを特徴とする請求項４に記載の落下防止装置である。
【００１７】
収納棚の筐体に付着された取付具に前記収納棚の前面に突き出す突起が設けられ、該突起の先端部分の直径が該先端部分を支える支柱部分の直径よりも大きく、前記第１保持具又は前記第２保持具に該突起に係止される取付穴が設けられ、該取付穴が大穴と小穴からなるひょうたん型に形成され、該大穴の直径が前記突起の先端部の直径よりも大きく、該小穴の直径が前記突起の支柱部分の直径よりも大きく且つ前記突起の先端部分の直径よりも小さく構成されているので、大穴に突起を差し込み、突起が小穴へ移動すると突起が抜けなくなるとともに保持具が回動可能に保持される。
【００１８】
請求項６に記載の落下防止装置は、前記大穴の外周に沿った切り込みにより前記小穴に向けて先端を有するバネ部分が設けられ、該先端の形状が前記小穴の円周に沿って形成され、前記支柱部分が前記大穴と小穴の間を移動する際に前記バネ部分を押し広げるように構成される請求項５に落下防止装置である。
【００１９】
前記大穴の外周に沿った切り込みにより前記小穴に向けて先端を有するバネ部分が設けられ、該先端の形状が前記小穴の円周に沿って形成され、前記支柱部分が前記大穴と小穴の間を移動する際に前記バネ部分を押し広げるように構成されるので、大穴と小穴の間を突起が移動する際にバネ部分が押し広げられ戻ることでクリック感が生じ動作が確実になる。
【００２０】
請求項７に記載の落下防止装置は、前記筐体の前記ベルトが出入りする開口部の前記ベルトの厚み方向の大きさが、前記ベルトの厚みの２倍未満であることを特徴とする請求項１乃至６何れかに記載の落下防止装置である。
【００２１】
前記筐体の前記ベルトが出入りする開口部の前記ベルトの厚み方向の大きさが、前記ベルトの厚みの２倍未満なのでベルトを巻き取るときにベルトが２重になることを防止する。
【００２２】
請求項８に記載の落下防止装置は、前記筐体の前記ベルトが出入りする開口部が設けられる面に対して直角な面に磁性体が設けられることを特徴とする請求項１乃至７何れかに記載の落下防止装置である。
【００２３】
前記筐体の前記ベルトが出入りする開口部が設けられる面に対して直角な面に磁性体が設けられるので、筐体を収納棚から外して磁性体が付く収納棚の任意の場所へ付着させることができる。
【００２４】
請求項９に記載の落下防止装置は、前記収納棚の間に張られる前記ベルトに前記ベルトが折り曲がり難くするように補強する補強部材が設けられることを特徴とする請求項１乃至８何れかに記載の落下防止装置である。
【００２５】
前記収納棚の間に張られる前記ベルトに前記ベルトが折り曲がり難くするように補強する補強部材が設けられるので補強部材を押し下げることで一様にベルトを押し下げることができる。
【００２６】
請求項１０に記載の落下防止装置は、前記補強部材の表面が筆記可能に形成されることを特徴とする請求項９に記載の落下防止装置である。
【００２７】
前記補強部材の表面が筆記可能に形成されるのでそこへ適宜文字などを記入して棚の荷物の種類を明示することができる。
【００２８】
請求項１１に記載の落下防止装置は、前記ベルトと前記収納棚の棚板の間に落下防止部材が設けられ、該落下防止部材が、折りたたみ可能であり、該落下防止部材を通して前記棚板の上に載置された収納物が判別可能な態様であることを特徴とする請求項１乃至１０の何れかに記載の落下防止装置である。
【００２９】
本発明の落下防止装置は、ベルトと前記収納棚の棚板の間に落下防止部材が設けられるのでベルトまで届かない高さの物品の落下を防止する。また、該落下防止部材が、折りたたみ可能であるのでベルトを引き下げる際に荷物の出し入れの妨げにならない。
【００３０】
請求項１２に記載の落下防止装置は、前記落下防止部材が網又は透明シートであることを特徴とする請求項１１．に記載の落下防止装置である。
【００３１】
本発明の落下防止装置は、落下防止部材が網又は透明シートであるので実装が容易でありコスト面で有利である。
【図面の簡単な説明】
【００３２】
【図１】落下防止装置の説明図である。
【図２】筐体へ付着される磁性体の様子を示す説明図である。
【図３】収納棚へ取り付けた（Ａ）定常状態の落下防止装置、（Ｂ）物品の出し入れのためにベルトを押し下げた状態の落下防止装置の説明図である。
【図４】収納棚へ取り付けた（Ａ）落下防止装置の平面図、（Ｂ）正面図である。
【図５】（Ａ）平面型保持具の取付穴の構造の説明図、（Ｂ）取付具の突起の説明図である。
【図６】ベルト巻取部分の説明図である。
【図７】（Ａ）軸に係止されたバネと、（Ｂ）ドラムに係止されたバネの説明図である。
【図８】ラチェット歯止めを含むラチェット型保持具の分解図である。
【図９】ラチェット歯車を含むラチェット型保持具の分解図である。
【図１０】ラチェット歯車とラチェット歯止めの関係で（Ａ）定常時、（Ｂ）係止時の説明図である。
【図１１】ベルトと棚板の間へ張られたネットタイプの（Ａ）定常時、（Ｂ）物品の出し入れ時の説明図である。
【図１２】ベルトと棚板の間へ張られたビニールタイプの（Ａ）定常時、（Ｂ）物品の出し入れ時の説明図である。
【図１３】補強部材無しの落下防止装置の（Ａ）定常時、（Ｂ）物品の出し入れ時の説明図である。
【図１４】補強部材有りの落下防止装置の（Ａ）定常時、（Ｂ）物品の出し入れ時の説明図である。
【発明を実施するための形態】
【００３３】
以下、本発明の実施形態を図面に基づいて説明する。図１は、本願発明に係る落下防止装置の外観図である。両端の平面視Ｌ字の取付具４はベルト１の張力に対抗するために収納棚の側面に掛かるようにＬ字型に構成されている。第１保持具となるラチェット型保持具の筐体１５に収められたベルト１は引き出されて平面型の第２保持具２により取付具４に接続される。
【００３４】
図２に示すラチェット型保持具の筐体１５のベルト引き出し面に直角な面に磁性体４０が設けられている。棚全体の荷物を出し入れするときはラチェット型保持具の筐体１５を収納棚から外して磁石が付着する収納棚へ臨時に保持させることができる。
【００３５】
図３（Ａ）に示す本発明の落下防止装置は、第１保持具となるラチェット型保持具１００と第２保持具となる平面型保持具２に保持されるベルト１と該ベルトと棚板の間に設けられた落下防止部材２０を具備する。定常時は、ベルトは保持具により巻取方向へ付勢されているのでベルト１は略水平に保たれる。また、ベルトの中央部分では補強部材２１によりベルト１が曲がらないように補強される。
【００３６】
落下防止装置は、ベルト１よりも背の高い物品はベルト１で、ベルト１よりも背の低い物品は落下防止部材２０により落下を防止する。地震などの揺れで物品が棚の上を滑りだしてベルトに当たるとベルトは図の手前側に急速に引っ張られる。急速に引っ張られたベルトはラチェット型保持具１００（仕組みを後述する）によりベルトの引き出しをロックされて物品が棚５１から落下することを防止する。ベルト１の速い引き出し速度は後述するラチェット型保持具の仕組みによりベルトの引き出しのロックへつながる。
【００３７】
図３（Ｂ）は、物品の出し入れのために手などでベルトをゆっくり押下げた状態を示す。ベルトの引き出し速度が所定の速さを超えない範囲では、ベルトのロックは起こらずベルトを自由に引き出すことができるので出し入れする物品の大きさによって押し下げる範囲を選ぶことができる。補強部材２１によりベルト１を一様に押し下げることができる。
【００３８】
平面型保持具２は、支柱に設けられた突起を用いてひょうたん穴３などにより垂直面内で回動自由に取り付けることが好適である。保持具が垂直面内で回動自由になっていると、図３（Ｂ）に示すように、ベルトを押し下げた場合に保持具のベルトの出入口がベルトの方へ向くのでベルトの変形が起こり難い。同様なことがラチェット型保持具でも適用される。
【００３９】
図４（Ａ）は、ロック機構を有する保持具１００を用いた落下防止装置の平面図である。内部のドラムとベルトの関係を見やすくするために蓋１０を取り去った状態を示す。ベルト１は保持具の内部のバネにより巻取方向へ付勢されている。
【００４０】
図４（Ｂ）は、ロック機構を有するラチェット型保持具を用いた落下防止装置の正面図である。ベルト１は保持具のバネにより巻取方向へ付勢されているのでほぼ水平に保持される。ベルト１は使用に伴って垂れ下がると美感上好ましくないが、補強部材２１の剛性と保持具のバネに寄る巻取方向への付勢により水平を保ち易くなり美感が向上する。
【００４１】
図５（Ａ）にひょうたん型の取付穴を有する平面型保持具２の平面図を示す。ひょうたん型の穴は、直径の大きい大穴３１と直径の小さい小穴３２で構成され大穴３１と小穴３２の間に大穴の外周に沿った切り込みにより形成されたバネ部分３４が設けられる。バネ部分３４の先端の形状は小穴３２の円周に沿ったものとなり保持具の回動を助ける。
【００４２】
図５（Ｂ）に保持具を収納棚へ取り付ける取付具を示す。Ｌ字型の下へ下がった部分は収納棚の筐体や柱へ掛かり、ベルト１の張力に耐える。取付具には支柱部分３６と支柱部分の先端に設けられる先端部分３７からなる突起が設けられる。保持具の大穴３１の直径は突起の先端部分３７の直径よりも大きく、小穴３２の直径は突起の支柱部分３６の直径よりも大きく且つ突起の先端部分３７の直径よりも小さく構成されている。使用時は突起を大穴３１へ入れ、支柱部分３６を小穴３２へ移動させる。突起に嵌った小穴３２はその直径が先端部分３７の直径がよりも小さいので突起が抜けること無く突起を中心にして保持具が回動可能となる。
【００４３】
図６の分解図を用いてラチェット型保持具の構造を説明する。筐体１５の中に、軸１１を中心にしてドラム１４が回転可能に収められる。軸１１の上端は蓋１０に接続され、下端は筐体１５に設けられた穴に嵌り固定される。軸１１とドラム１４の中心の穴の間の隙間に巻き取りバネが収められる。巻き取りバネ１３の上端はドラム１４に係止され、下端は軸１１の下端に係止されて筐体に固定される。ドラム１４の外に描かれているベルト１２は実際はドラム１４に巻き付けられその端部はドラムの中へ折り込まれてドラム１４へ固定される。ベルトが出入りする開口部１９の大きさはベルト幅方向の寸法がベルト幅より大きくベルト厚み方向の寸法がベルト厚みの２倍未満に形成されることでベルトが重なって巻き込まれることを防止する。
【００４４】
図７を用いて巻き取りバネ１３の収納の様子を説明する。図７（Ａ）では巻き取りバネ１３の下端が軸１１に固定された様子を示す。図７（Ｂ）では巻き取りバネ１３がドラム１４の中心穴に収められ、巻き取りバネ１３の上端はドラム１４の上端部の穴に係止される。巻き取りバネ１３の下端が係止される軸１１は筐体１５に固定され、巻き取りバネ１３の上端が係止されるドラム１４は軸１１の回りを回転するのでドラムの回転に伴い巻き取りバネ１３は筐体１５とドラム１４の間に弾性力を生じベルト１を巻取り方向へ付勢する。
【００４５】
ベルト１２は端部をドラムの中に折り込まれてドラムに固定され収納棚の支柱の間隔を十分超える長さでドラムに巻き付けられて収納される。ベルト１２が引き出されるとバネ１３の上端がドラム１４とともに回転し筐体１５に固定されたバネ１３の下端との間にねじれが生じてベルトを撒き戻す弾性力が発生する。バネとしてはねじりコイルバネが好適である。
【００４６】
図８乃至図１０を用いて逆転防止機構を実現するラチェット機構について説明する。図８に示す分解図に示すように２個のラチェット歯止め１６が回転するドラム１４の下端に取り付けられる。
【００４７】
図９示す分解図で示すように筐体１５の底部にラチェット歯車１８が備えられる。ここで、筐体１５の底部の穴に軸１１の下端が嵌り軸１１の回りをドラム１４が回転する。
【００４８】
図１０にラチェット歯車１８とラチェット歯止め１６の動作の様子を示す。ラチェット歯止め１６は筐体との間に設けられる付勢バネ１７により内側へ押されている。図７に示す付勢バネ１７はトーションバネであるがラチェット歯止めを逆に引っ張る方向へ付勢する引張りバネを用いてもよく、圧縮バネを用いてもよい。
【００４９】
図１０（Ａ）に示す定常状態ではラチェット歯止め１６は付勢バネ１７により内側へ押されてラェット歯車１８から離れているので回転ドラム１４は筐体１５に対して自由に回転可能になりベルトの引き出しや巻き戻しが自由に行われる。
【００５０】
地震などでベルトへ物品が当たり急激にベルトが引き出されようとするとドラム１４が急速に回転して図１０（Ｂ）に示すドラム１４へ固定されるラチェット歯止め１６が遠心力で外側へ移動してラチェット歯車１８と係合してラチェット歯止め１６の反時計回りへの回転が阻止されベルトの引き出しが阻止される。
【００５１】
ベルト１２の引き出しが所定の速さを超えなければラチェット歯車１８がラチェット歯止め１６に係止することが無いのでベルトの引き出しが自由にできる。図１１、図１２は実際の使用状況を示す。図１１は落下防止部材として網状の部材を用いる場合、図１２は網ビニールなどの透明シートを用いた様子を示す。図１１（Ａ），図１２（Ａ）は定常状態でベルトは水平に保たれる。図１１（Ｂ）、図１２（Ｂ）はベルト１を手で下へ抑えた状態で物品の出し入れが自由にできる。落下防止部材２０としては、折り畳み可能で落下防止部材を通して棚板の上に載置された物品の判別可能であればその形態は自由である。例えば予め折り目が付けられた蛇腹状に加工された透明な部材も好適である。
【００５２】
図１３と図１４を用いて、ベルト１の中央部分を補強する補強部材２１の有無による違いを説明する。図１３は、ベルト１及び落下防止部材２０で構成された落下防止装置である。取り出したい荷物の前にあるベルトを押し下げることで荷物の出し入れが可能になる。図１４は補強部材２１が付加された場合で、図１４（Ａ）は定常状態、図１４（Ｂ）は押し下げ状態である。補強部材２１の一部を押し下げることで補強部材２１の長さ全体に渡ってベルト１が押し下げられ荷物の出し入れが容易になる。
【００５３】
補強部材２１の表面を白色系にすることでそこへマーカーで筆記可能となり収納棚に積まれた荷物の識別に役立つ。
【００５４】
本発明に係る落下防止装置を用いることでベルトにより本などの収納物の落下を確実に防止することができる。また落下防止部材２０を設けることでベルトに届かない物品もその落下を確実に防止することができる。そして、ベルトを押し下げることができる落下防止装置は本などの収納物の出し入れを妨げることが無い。
【００５５】
上記に説明したように本願発明の落下防止装置を使うことで、安価で使い勝手の良い地震対策用の落下防止環境を作ることができる。
【符号の説明】
【００５６】
１  ベルト
２  平板式保持具
３  ひょうたん穴
４  取付具
１０  蓋
１１  軸
１２  ベルト
１３  巻取バネ
１４  ドラム
１５  筐体
１６  ラチェット歯止め
１７  付勢バネ
１８  ラチェット歯車
１９  開口部
２０  落下防止部材
２１  補強部材
３０  保持具
３１  大穴
３２  小穴
３３  切込み
３４  バネ部分
３５  引っ掛け部
３６  支柱部分
３７  先端部分
２１  補強部材
４０  磁性体
５０  支柱
５１  棚板
１００  ラチェット型保持具
【図１】
2020195757.tif 000003
【図２】
2020195757.tif 000004
【図３】
2020195757.tif 000005
【図４】
2020195757.tif 000006
【図５】
2020195757.tif 000007
【図６】
2020195757.tif 000008
【図７】
2020195757.tif 000009
【図８】
2020195757.tif 000010
【図９】
2020195757.tif 000011
【図１０】
2020195757.tif 000012
【図１１】
2020195757.tif 000013
【図１２】
2020195757.tif 000014
【図１３】
2020195757.tif 000015
【図１４】
2020195757.tif 000016